(57)【要約】【課題】多原色光源バックライトを備え、各色光源の発光強度を独立に制御可能な液晶表示装置において、各色光源の発光強度を変化させて同一色を表示させた場合の液晶透過光のスペクトルの変化を抑制する。【解決手段】発光スペクトルのピーク波長が互いに隣接する２つ色の光源が異なるグループに属するように複数の色の光源を２つのグループに分ける。１フレームの表示期間を２つのサブフレーム期間に分割し、第１サブフレーム期間は、第１グループに属する光源を点灯し、点灯光源に対応する色のサブピクセルを透過させ、第２グループに属する光源を消灯し、消灯光源に対応する色のサブピクセルを遮光する。第２サブフレーム期間は、第１グループに属する光源を消灯し、消灯光源に対応する色のサブピクセルを遮光し、第２グループに属する光源を点灯し、点灯光源に対応する色のサブピクセルを透過制御する。【選択図】図１
2012242682.tif 000002
【特許請求の範囲】
【請求項１】
異なる複数の色の光源を有するバックライトと、
前記光源の各色に対応する複数の色のサブピクセルからなる画素の集合である液晶パネルと、
各色の光源の発光を独立に制御する光源制御手段と、
入力する映像信号に応じて前記サブピクセルの透過率を制御する液晶制御手段と、
を備える液晶表示装置であって、
前記複数の色の光源は、発光スペクトルのピーク波長が互いに隣接する２つ色の光源が異なるグループに属するように２つのグループに分けられ、
前記光源制御手段は、１フレームの表示期間を、少なくとも、
第１のグループに属する光源を点灯し、第２のグループに属する光源を消灯する第１のサブフレーム期間と、
第１のグループに属する光源を消灯し、第２のグループに属する光源を点灯する第２のサブフレーム期間と、
を含む複数のサブフレーム期間に分割して光源の制御を行い、
前記液晶制御手段は、
前記第１のサブフレーム期間において、第２のグループに属する光源の色に対応するサブピクセルを遮光状態に制御し、
前記第２のサブフレーム期間において、第１のグループに属する光源の色に対応するサブピクセルを遮光状態に制御する
ことを特徴とする液晶表示装置。
【請求項２】
前記液晶制御手段は、
前記第１のサブフレーム期間において、第１のグループに属する各光源の色に対応するサブピクセルの透過率を、その色の成分の映像信号に応じて制御し、
前記第２のサブフレーム期間において、第２のグループに属する各光源の色に対応するサブピクセルの透過率を、その色の成分の映像信号に応じて制御する請求項１に記載の液晶表示装置。
【請求項３】
前記光源制御手段は、前記異なる複数の色の各々の成分の映像信号に応じて、各色の光源の発光強度を決定する請求項１又は２に記載の液晶表示装置。
【請求項４】
前記バックライトは独立して発光を制御可能な複数のブロックに分割され、各ブロックは前記異なる複数の色の光源を１又は複数組有し、
前記光源制御手段は、各ブロックに対応する領域において、前記異なる複数の色の各々の映像信号に応じて、各ブロックの各色の光源の発光強度を決定する請求項１又は２に記載の液晶表示装置。
【請求項５】
前記バックライトは、赤色、緑色、及び青色の光源を有し、
前記液晶パネルは、赤色、緑色、及び青色のサブピクセルからなる画素の集合であり、
前記光源制御手段は、赤色の光源及び青色の光源を第１のグループに属する光源とし、緑色の光源を第２のグループに属する光源とする請求項１〜４のいずれか１項に記載の液晶表示装置。
【請求項６】
前記バックライトは、赤色、黄色、緑色、及び青色の光源を有し、
前記液晶パネルは、赤色、黄色、緑色、及び青色のサブピクセルからなる画素の集合であり、
前記光源制御手段は、赤色の光源及び緑色の光源を第１のグループに属する光源とし、黄色の光源及び青色の光源を第２のグループに属する光源とする請求項１〜４のいずれか
１項に記載の液晶表示装置。
【請求項７】
異なる複数の色の光源を有するバックライトと、
前記光源の各色に対応する複数の色のサブピクセルからなる画素の集合である液晶パネルと、
を備え、前記複数の色の光源は、発光スペクトルのピーク波長が互いに隣接する２つの光源が異なるグループに属するように２つのグループに分けられた液晶表示装置の制御方法であって、
各色の光源の発光を独立に制御する光源制御ステップと、
入力する映像信号に応じて前記サブピクセルの透過率を制御する液晶制御ステップと、を有し、
前記光源制御ステップは、１フレームの表示期間を、少なくとも、
第１のグループに属する光源を点灯し、第２のグループに属する光源を消灯する第１のサブフレーム期間と、
第１のグループに属する光源を消灯し、第２のグループに属する光源を点灯する第２のサブフレーム期間と、
を含む複数のサブフレーム期間に分割して光源の制御を行い、
前記液晶制御ステップは、
前記第１のサブフレーム期間において、第２のグループに属する光源の色に対応する色のサブピクセルを遮光状態に制御し、
前記第２のサブフレーム期間において、第１のグループに属する光源の色に対応する色のサブピクセルを遮光状態に制御する
ことを特徴とする液晶表示装置の制御方法。
【発明の詳細な説明】
【技術分野】
【０００１】
本発明は、バックライトに多原色光源を用いた液晶表示装置及びその制御方法に関するものである。
【背景技術】
【０００２】
ＬＥＤ光源を用いた液晶表示装置において、コントラスト比の拡大及び消費電力低減を目的に、バックライトを複数のブロックに分割し、ブロック毎に調光するローカルディミングと呼ばれる局所輝度制御が実用化されている。バックライトに多原色光源を用いた液晶表示装置においては、各色光源を独立してローカルディミングを行うことが考えられる。代表的な多原色バックライトとしては、光の３原色である赤色、緑色及び青色（以降、ＲＧＢと略記）の光源を独立して持つＲＧＢバックライトがある。
【０００３】
ＲＧＢバックライトを用いた場合、液晶面で画素（ピクセル）を構成するＲＧＢの各色のサブピクセルから透過する光は、サブピクセル色に対応する色光源の透過光と、隣接色光源から漏れる光（クロストーク）の透過光を加算したものである。そのため各色光源に対し独立してローカルディミングを行うと、ＲＧＢ各色の光源の光量比の変化に伴い、前記２つの透過光のバランスが変化することになる。その結果、サブピクセルから透過する光のスペクトルが変動するため、ピクセル表示色が変化し、色度点がずれてしまう。なお、デジタル画像を構成する単位であるピクセル（画素）をさらに細分化したものをサブピクセルと呼ぶ。例えば、Ｒ（赤）・Ｇ（緑）・Ｂ（青）の３つの色の点が集まって構成されるピクセル（画素）の各単色ＲＧＢの点がサブピクセルに該当する。
【０００４】
従来、クロストークの発生によるピクセル表示色の変化を補正する方法として、ＲＧＢバックライトの各色光源の光量の関係に基づくクロストーク補正係数をもとに、各サブピクセルの透過率を補正する技術が提案されている（例えば、特許文献１参照）。
【０００５】
また、クロストークの発生自体を防ぐため、ＲＧＢの各色光源が独立して順次発光し、混色表示にて画像を表示する、フィールドシーケンシャル表示を用いる方法が提案されている（例えば、特許文献２参照）。
【先行技術文献】
【特許文献】
【０００６】
【特許文献１】特開２００６−３２３１３号公報
【特許文献２】特開２００８−２０５４９号公報
【発明の概要】
【発明が解決しようとする課題】
【０００７】
しかしながら、クロストークによるバックライトの発光スペクトルの変化に合わせてサブピクセルの透過率を補正する従来技術では、ピクセル表示色の色度点を一致させることができたとしても、ピクセル透過光のスペクトルを一致させることはできない。人間の目の波長感度特性には個人差があるため、色度関数を用いて算出した色度点が一致していても、スペクトルが異なれば、人間に認識される色は一致しない場合がある。
【０００８】
また、ＲＧＢの各色光源を独立して順次発光させて混色表示することによりクロストークの発生自体を防ぐ従来技術では、１フレームを少なくとも３つのサブフレームに分割する必要がある。そのため、バックライト光源及び液晶をフレームレートに対し少なくとも３倍の駆動周波数で動作させる必要がある。これに対応する液晶パネルは従来よりも高価
なものとなる。
【０００９】
そこで本発明は、多原色光源バックライトを備え、各色光源の発光強度を独立に制御可能な液晶表示装置において、各色光源の発光強度を変化させて同一色を表示させた場合の液晶透過光のスペクトルの変化を抑制することを目的とする。
【課題を解決するための手段】
【００１０】
本発明は、異なる複数の色の光源を有するバックライトと、
前記光源の各色に対応する複数の色のサブピクセルからなる画素の集合である液晶パネルと、
各色の光源の発光を独立に制御する光源制御手段と、
入力する映像信号に応じて前記サブピクセルの透過率を制御する液晶制御手段と、
を備える液晶表示装置であって、
前記複数の色の光源は、発光スペクトルのピーク波長が互いに隣接する２つ色の光源が異なるグループに属するように２つのグループに分けられ、
前記光源制御手段は、１フレームの表示期間を、少なくとも、
第１のグループに属する光源を点灯し、第２のグループに属する光源を消灯する第１のサブフレーム期間と、
第１のグループに属する光源を消灯し、第２のグループに属する光源を点灯する第２のサブフレーム期間と、
を含む複数のサブフレーム期間に分割して光源の制御を行い、
前記液晶制御手段は、
前記第１のサブフレーム期間において、第２のグループに属する光源の色に対応するサブピクセルを遮光状態に制御し、
前記第２のサブフレーム期間において、第１のグループに属する光源の色に対応するサブピクセルを遮光状態に制御する
ことを特徴とする液晶表示装置である。
【００１１】
本発明は、異なる複数の色の光源を有するバックライトと、
前記光源の各色に対応する複数の色のサブピクセルからなる画素の集合である液晶パネルと、
を備え、前記複数の色の光源は、発光スペクトルのピーク波長が互いに隣接する２つの光源が異なるグループに属するように２つのグループに分けられた液晶表示装置の制御方法であって、
各色の光源の発光を独立に制御する光源制御ステップと、
入力する映像信号に応じて前記サブピクセルの透過率を制御する液晶制御ステップと、を有し、
前記光源制御ステップは、１フレームの表示期間を、少なくとも、
第１のグループに属する光源を点灯し、第２のグループに属する光源を消灯する第１のサブフレーム期間と、
第１のグループに属する光源を消灯し、第２のグループに属する光源を点灯する第２のサブフレーム期間と、
を含む複数のサブフレーム期間に分割して光源の制御を行い、
前記液晶制御ステップは、
前記第１のサブフレーム期間において、第２のグループに属する光源の色に対応する色のサブピクセルを遮光状態に制御し、
前記第２のサブフレーム期間において、第１のグループに属する光源の色に対応する色のサブピクセルを遮光状態に制御する
ことを特徴とする液晶表示装置の制御方法である。
【発明の効果】
【００１２】
本発明によれば、多原色光源バックライトを備え、各色光源の発光強度を独立に制御可能な液晶表示装置において、各色光源の発光強度を変化させて同じ色を表示させた場合の液晶透過光のスペクトルの変化を抑制することができる。
【図面の簡単な説明】
【００１３】
【図１】実施例１の液晶表示装置の構成を示すブロック図
【図２】実施例１のパネルモジュールの構成を示す図
【図３】実施例１の各サブフレーム期間の光源及びサブピクセルの動作を示す図
【図４】実施例１の液晶表示装置の動作を表すフローチャート
【図５】従来技術のローカルディミングを行った場合の表示特性の一例
【図６】実施例１に基づくローカルディミングを行った場合の表示特性の一例
【図７】実施例１に基づくローカルディミングを行った場合の表示特性の一例
【図８】実施例２の液晶表示装置の構成を示すブロック図
【図９】実施例２のパネルモジュールの構成を示す構造図
【図１０】実施例２の各サブフレーム期間の光源及びサブピクセルの動作を示す図
【図１１】実施例２の液晶表示装置の動作を表すフローチャート
【図１２】実施例２に基づくローカルディミングを行った場合の表示特性の一例
【図１３】実施例２に基づくローカルディミングを行った場合の表示特性の一例
【発明を実施するための形態】
【００１４】
（実施例１）
以下、本発明の第１の実施例について説明する。図１は、本実施例に係る液晶表示装置１００の構成を示したブロック図である。液晶表示装置１００は、異なる複数の色の光源を有するバックライトである光源部１１０と、光源の各色に対応する複数の色のサブピクセルからなる画素の集合により構成される液晶パネルである液晶部１１３と、を有する。光源部１１０は、独立して発光を制御可能な複数の制御ブロックに分割され、各制御ブロックは、異なる複数の色の光源を１組又は複数組有する。
映像データ変換部１０１は、外部より入力される映像信号を、液晶部１１３の表示解像度に合わせたピクセル単位のデジタル映像信号に変換するデータ変換部である。映像データ変換部１０１は、変換後のデジタル映像信号を、映像解析部１０２へ出力する。映像データ変換部１０１は、必要に応じて、スケーリング処理やＩ／Ｐ変換処理を行う。映像解析部１０２は、映像データ変換部１０１からのデジタル映像信号に対し、ローカルディミングの制御ブロック単位にフレーム画像を分割し解析する。それによって、映像解析部１０２は、ローカルディミングの制御動作を決定するのに必要となる画像解析データを取得する。画像解析データは、例えば制御ブロック毎の平均輝度や最大輝度などの統計量である。映像解析部１０２は、取得した画像解析データをＣＰＵ１０３へ送信する。なお、映像解析部１０２は、入力されるデジタル映像信号をそのままサブフレーム分割部１０６へ出力する。
【００１５】
ＣＰＵ１０３は、映像解析部１０２からの画像解析データをもとに、光源部１１０の各光源の発光強度を決定し、発光強度信号として光源制御信号生成部１０８に出力する。ＣＰＵ１０３は、サブピクセル補正部１０７における、サブピクセル補正に必要なサブピクセル補正テーブルを生成し、サブピクセル補正部１０７に送信する。ＣＰＵ１０３は、光源部１１０と液晶部１１３の動作の同期をとるため、光源制御部１０９及び液晶制御部１１２の同期制御を行う。ＣＰＵ１０３は、サブフレーム分割部１０６においてフレーム画像を２つのサブフレームに分割する分割方法を決定し、サブフレーム分割部１０６に送信する。
【００１６】
ＲＯＭ１０４は、ＣＰＵ１０３の動作プログラム及びブロック補正係数一式を記憶する
ための不揮発性メモリである。ＲＡＭ１０５は、ＣＰＵ１０３の動作メモリとして機能する。また、ＲＡＭ１０５は、画像解析データ及びブロック補正係数一式を一時保存する揮発性メモリである。
【００１７】
サブフレーム分割部１０６は、ＣＰＵ１０３の決定した分割方法に従い、映像解析部１０２から入力されるデジタル映像信号のフレーム画像を、２つのサブフレーム画像に分割し、サブフレーム分割信号を生成する信号処理部である。サブフレーム分割部１０６は、生成したサブフレーム分割信号をサブピクセル補正部１０７へ出力する。サブピクセル補正部１０７は、ＣＰＵ１０３からのサブフレーム補正テーブルを用いて、サブフレーム分割部１０６より入力されるサブフレーム分割信号をサブピクセル単位で補正する信号補正部である。サブピクセル補正部１０７は、補正したサブフレーム分割信号を、サブピクセル補正信号として液晶制御信号生成部１１１へ出力する。
【００１８】
光源制御信号生成部１０８は、ＣＰＵ１０３からの発光強度信号をもとに、光源制御信号を生成し、光源制御部１０９に出力する信号生成部である。光源制御部１０９は、光源制御信号生成部１０８からの光源制御信号をもとに、光源部１１０の光源発光制御を行う制御部である。光源部１１０は、光源制御部１０９からの制御に従って発光する複数の光源により構成されるバックライトである。
【００１９】
液晶制御信号生成部１１１は、サブピクセル補正部１０７からのサブピクセル補正信号をもとに、液晶制御信号を生成し、液晶制御部１１２に出力する信号生成部である。液晶制御部１１２は、液晶制御信号生成部１１１からの液晶制御信号をもとに、液晶部１１３の各サブピクセルにあたる液晶素子の配向制御を行う制御部である。液晶部１１３は、液晶制御部１１２からの制御に従って配向角が変化することによりサブピクセル毎に透過率が変化する複数の液晶素子の集合である液晶パネルである。
【００２０】
次に、図２を用いてパネルモジュール２００の構成について説明する。パネルモジュール２００は光源部１１０と液晶部１１３を張り合わせた構造をとる。詳細の構造については説明を省略する。
【００２１】
ここでは、液晶部１１３の総画素数を１９２０×１０８０ピクセル、ローカルディミングの各制御ブロックに対応する液晶部１１３上の領域２１１の画素数を１２０×１２０ピクセルとする。この場合、制御ブロック数は横１６個×縦９個の計１４４個となる。光源部１１０は、制御ブロック毎に光源が配置され、制御ブロック単位で光源の発光を制御可能である。各制御ブロックに配置された光源は、赤色光源２０３、第１の緑色光源２０４、第２の緑色光源２０５及び青色光源２０６からなるＲＧＧＢ構成の光源群２０２である。光源部１１０は、制御ブロック数分の光源群２０２からなるＲＧＢバックライトである。液晶部１１３は、赤色サブピクセル２０８、緑色サブピクセル２０９及び青色サブピクセル２１０からなるピクセル２０７が格子状に配列されて構成される。なお、第１の緑色光源２０４及び第２の緑色光源２０５は同一特性の光源であるものとする。
【００２２】
図２では光源部１１０を直下型バックライト方式としているが、ローカルディミングが実現可能なパネルモジュール２００の構造であれば、エッジライト方式など他の方式を用いた構成でも構わない。
続いて、光源部１１０の光源発光制御、及び液晶部１１３の透過制御の方法について、図３を用いて説明する。
【００２３】
緑色光を発光する第１の緑色光源２０４及び第２の緑色光源２０５の発光スペクトルのピーク波長は、赤色光源２０３の発光スペクトルのピーク波長と青色光源２０６の発光スペクトルのピーク波長の間に位置する。そこで、本実施例では、赤色光源２０３及び青色
光源２０６と、第１の緑色光源２０４及び第２の緑色光源２０５と、を交互に発光させる。つまり、赤色光源２０３、緑色光源２０４、緑色光源２０５、及び青色光源２０６を、発光スペクトルのピーク波長が隣接する２つの光源が異なるグループに属するように２つのグループに分け、異なるグループに属する光源を同時に点灯させないようにする。ここでは、赤色光源２０３及び青色光源２０６を第１のグループに属する光源とし、緑色光源２０４及び緑色光源２０５を第２のグループに属する光源とする。これにより、隣接色光源によるクロストークが抑えられる。この光源発光制御に同期して、赤色サブピクセル２０８、緑色サブピクセル２０９及び青色サブピクセル２１０の透過制御を行う。
【００２４】
図３に基づき詳しく説明すると、１フレームの画像の表示期間を２つのサブフレーム期間に分割し、第１のサブフレーム及び第２のサブフレームからなるフィールドシーケンシャル制御により混色表示する。本実施例では、第１のサブフレーム期間では、赤色光源２０３及び青色光源２０６を発光させ、第１の緑色光源２０４及び第２の緑色光源２０５を消灯させる。これに同期して、赤色サブピクセル２０８及び青色サブピクセル２１０を透過させ、緑色サブピクセル２０９は遮光状態とする。ここで、サブピクセルを遮光状態とするとは、そのサブピクセルからのバックライトの光の透過量を所定レベル以下にすることであり、理想的にはサブピクセルの透過率を最小値とする。所定レベルの透過量とは、隣接色光源の光のクロストークの影響によるピクセル透過光のスペクトルの変動が許容範囲に収まるような透過量であり、実験的、経験的に決められる。つまり、第１のサブフレーム期間では、赤色サブピクセル２０８及び青色サブピクセル２１０を用いた、赤色と青色のサブピクセル表示だけが有効となる。第１のサブフレーム期間では、第１の緑色光源２０４及び第２の緑色光源２０５が発光しないため、これらの光源からの光の一部が赤色サブピクセル２０８や青色サブピクセル２１０から漏れることはない。また、緑色サブピクセル２０９が遮光していることで、赤色光源２０３及び青色光源２０６からの光が、緑色サブピクセル２０９から漏れることはない。その結果、第１のサブフレーム期間において、隣接色光源からのクロストークの発生を抑制することが可能となる。
【００２５】
同様の考え方で、本実施例では、第２のサブフレーム期間では、第１の緑色光源２０４及び第２の緑色光源２０５を発光させ、赤色光源２０３及び青色光源２０６を消灯する。これに同期して、緑色サブピクセル２０９を透過させ、赤色サブピクセル２０８及び青色サブピクセル２１０は遮光する。つまり、第２のサブフレーム期間では、緑色サブピクセル２０９を用いた、緑色のサブピクセル表示だけが有効となる。第２のサブフレーム期間では、赤色光源２０３及び青色光源２０６が発光しないため、これらの光源からの光の一部が緑色サブピクセル２０９から漏れることはない。また、赤色サブピクセル２０８及び青色サブピクセル２１０が遮光していることで、第１の緑色光源２０４及び第２の緑色光源２０５からの光が、赤色サブピクセル２０８及び青色サブピクセル２１０から漏れることはない。その結果、第２のサブフレーム期間においても、隣接色光源からのクロストークの発生を抑制することが可能となる。本実施例のフィールドシーケンシャル制御は、１フレームを２つのサブフレームに分割するため、フレームレートの２倍の周波数で液晶駆動が可能であれば良い。従って、１フレームを少なくとも３つのサブフレームに分割する必要がある従来技術に対しコスト面で有利である。また、サブフレームの切り換え頻度がフレームレートの２倍で済むため、従来技術よりフリッカを抑制できる。
【００２６】
次に、図４のフローチャートを用いて、各色光源に対し独立してローカルディミングを行う方法について説明する。
【００２７】
ステップＳ４０１では、映像データ変換部１０１が、外部より入力される映像信号を、液晶部１１３の表示解像度に合わせたピクセル単位のデジタル映像信号に変換する。そして、ステップＳ４０２に進む。なお、デジタル映像信号のフォーマットは特に限定されないが、後段の映像解析部１０２及びサブフレーム分割部１０６での信号処理を考慮すると
、ＲＧＢフォーマットが望ましい。
【００２８】
ステップＳ４０２では、映像解析部１０２が、映像データ変換部１０１からのデジタル映像信号に対し、ローカルディミングの制御ブロック単位にフレーム画像を分割解析する。そして、映像解析部１０２が、ローカルディミングの制御動作を決定するのに必要となる画像解析データを取得する。映像解析部１０２は、取得したデータを、画像解析データとしてＣＰＵ１０３に送信する。そして、ステップＳ４０３に進む。
【００２９】
例えば、各制御ブロックに対応する領域の画像のピーク輝度をもとにローカルディミングを行う場合、映像解析部１０２は、制御ブロック毎にＲＧＢそれぞれのピーク輝度を取得する。映像解析部１０２は、取得した制御ブロック毎のピーク輝度情報を画像解析データとしてＣＰＵ１０３に送信する。
【００３０】
ステップＳ４０３では、サブフレーム分割部１０６が、ＣＰＵ１０３から分割方法の情報を取得する。ここでは、元のフレーム画像を、赤色（Ｒ）及び青色（Ｂ）成分で構成される第１のサブフレーム画像と、緑色（Ｇ）成分で構成される第２のサブフレーム画像と、に分割することを示す分割方法の情報が取得される。この分割方法に従い、サブフレーム分割部１０６が、元のフレーム画像からＲ及びＢの色成分を抽出し、第１のサブフレーム画像を生成する。また、サブフレーム分割部１０６が、元のフレーム画像からＧの色成分を抽出し、第２のサブフレーム画像を生成する。サブフレーム分割部１０６は、生成した２つのサブフレーム画像を時間軸方向に交互に並べることで、サブフレーム分割信号を生成する。そして、ステップＳ４０４に進む。
【００３１】
ステップＳ４０４では、ステップＳ４０２で取得した画像解析データをもとに、ＣＰＵ１０３が制御ブロック毎に、サブフレーム期間毎の赤色光源２０３、第１の緑色光源２０４、第２の緑色光源２０５及び青色光源２０６の発光強度を決定する。ＣＰＵ１０３は、その決定した発光強度の情報を発光強度信号として光源制御信号生成部１０８に出力する。そして、ステップＳ４０５及びステップＳ４０７に進む。
【００３２】
各色の発光強度は、例えば、制御ブロック単位の色別のピーク輝度に応じて決定する。この場合、ある制御ブロックのある色の光源の発光強度は、その色のサブピクセルの透過率を最大とした時に、その色の表示輝度がその制御ブロックのその色成分のピーク輝度となるために必要な発光強度とする。なお、隣接ブロックとの発光強度バランスや、各光源色の発光強度バランスなどの情報を用いて発光強度を決定するようにしてもよい。表示映像にローカルディミングによる違和感が生じないように制御ブロック毎の光源の発光強度を調整してもよい。
【００３３】
ステップＳ４０５では、光源制御信号生成部１０８が、ステップＳ４０４で得られる発光強度信号をもとに、光源部１１０の発光制御を行うための光源制御信号を生成する。光源制御信号生成部１０８は、第１のサブフレーム期間の光源制御信号として、制御ブロック毎にステップＳ４０４で決定された発光強度で赤色光源２０３及び青色光源２０６を発光させる光源制御信号を生成する。光源制御信号生成部１０８は、第２のサブフレーム期間の光源制御信号として、制御ブロック毎にステップＳ４０４で決定された発光強度で第１の緑色光源２０４及び第２の緑色光源２０５を発光させる光源制御信号を生成する。
【００３４】
ステップＳ４０６では、光源制御部１０９が、光源制御信号生成部１０８から入力される光源制御信号をもとに、各サブフレーム期間中に発光させる光源とその発光強度を確定する。そして、ＣＰＵ１０３からの同期制御に従い、液晶部１１３の制御タイミングと同期させて、光源部１１０を発光制御する。この制御に従い、光源部１１０の指定の光源が、所望の発光強度で発光する。そして、ステップＳ４０１に戻り、本フローチャートの処
理を繰り返す。
【００３５】
ステップＳ４０７では、ＣＰＵ１０３が、各制御ブロックに対し、ＲＧＢの色成分毎に、ブロック補正係数を決定する。ブロック補正係数は、ある発光強度で制御ブロックの光源を発光させた場合に液晶部１１３に表示される映像の輝度及び色を入力する映像信号の輝度及び色と精度良く一致させるために行う画像補正処理に係るマトリックス変換係数である。ブロック補正係数は、ＲＯＭ１０４に記憶されており、ＣＰＵ１０３は、液晶表示装置の起動時にＲＯＭ１０４に記憶されているブロック補正係数一式を、ＲＡＭ１０５に一時的に展開し、すぐに呼び出せる状態にする。ＣＰＵ１０３は、ステップＳ４０４で決定したその制御ブロックの光源の発光強度、及びその周囲の制御ブロックの光源の発光強度との関係を解析する。そして、ＣＰＵ１０３は、その解析結果から補正対象の制御ブロックに適用するブロック補正係数を決定する。この処理は、すべての制御ブロックに対し、ＲＧＢ別に行われる。ＣＰＵ１０３は、前記処理で得られた制御ブロック毎のブロック補正係数を組み合わせて、サブフレーム画像に適用するサブピクセル補正テーブルを生成し、サブピクセル補正部１０７に送信する。そして、ステップＳ４０８に進む。
【００３６】
ステップＳ４０８では、サブピクセル補正部１０７が、サブフレーム分割信号に対し、ＣＰＵ１０３から受信するサブピクセル補正テーブルを用いて、各サブピクセルに対し輝度補正を行う。サブピクセル補正部１０７は、補正後のサブフレーム分割信号をサブピクセル補正信号として、液晶制御信号生成部１１１へ出力する。そして、ステップＳ４０９に進む。
【００３７】
ステップＳ４０９では、液晶制御信号生成部１１１がサブピクセル補正部１０７から入力されるサブピクセル補正信号をもとに、各サブピクセルが指定の透過率となるよう、液晶配向角を制御するための液晶制御信号を生成する。そして、液晶制御部１１２が、ＣＰＵ１０３からの同期制御に従い、光源制御部１０９による光源部１１０の制御タイミングと同期して、液晶部１１３の各サブピクセルの液晶配向角を、液晶制御信号生成部１１１から入力される液晶制御信号に基づき制御する。これにより、液晶部１１３のサブピクセルの透過率が変化する。そして、ステップＳ４０１に戻り、本フローチャートの処理を繰り返す。
本フローチャートで示す処理によって、２つのサブフレームからなるフィールドシーケンシャル制御による混色表示、及びローカルディミングが実現可能となる。
【００３８】
続いて、３原色光源バックライトを備える液晶表示装置において、ローカルディミングにより各色光源の発光強度及びサブピクセル透過率を独立して変更した場合の表示結果の例について、本実施例と従来技術とを比較しながら説明する。
【００３９】
図５は、従来技術で、各色光源を独立してローカルディミングを行った場合を想定して、輝度５０％の白色光５０４を３通りの光源及びサブピクセルの制御パターンで表示した場合の結果の一例を示したものである。
【００４０】
図５（Ａ）に示す制御パターンでは、赤色光５０１の表示輝度を５０％にするために、赤色光源２０３を輝度５０％で発光させ、赤色サブピクセル２０８の透過率を１００％とする。緑色光５０２の表示輝度を５０％にするために、第１の緑色光源２０４及び第２の緑色光源２０５を輝度７０．７％で発光させ、緑色サブピクセル２０９の透過率を７０．７％とする。青色光５０３の表示輝度を５０％にするために、青色光源２０６を輝度１００％で発光させ、青色サブピクセル２１０の透過率を５０％とする。それぞれ輝度５０％の赤色光５０１、緑色光５０２及び青色光５０３による混色表示によって、輝度５０％の白色光５０４を得る。図５（Ａ）には、この制御パターンにおける、光源発光スペクトル、サブピクセル透過スペクトル、及びピクセル表示色スペクトルを示している。
【００４１】
図５（Ｂ）及び図５（Ｃ）は、図５（Ａ）に示す制御パターンに対し各色光源の発光強度と各色サブピクセルの透過率を変えて輝度５０％の白色表示をさせた場合の光源発光スペクトル、サブピクセル透過スペクトル、及びピクセル表示色スペクトルを示している。
【００４２】
図５（Ｂ）の制御パターンでは、赤色光５０１の表示輝度を５０％にするために、赤色光源２０３を輝度７０．７％で発光させ、赤色サブピクセル２０８の透過率を７０．７％とする。緑色光５０２の表示輝度を５０％にするために、第１の緑色光源２０４及び第２の緑色光源２０５を輝度７０．７％で発光させ、緑色サブピクセル２０９の透過率を７０．７％とする。青色光５０３の表示輝度を５０％にするために、青色光源２０６を輝度７０．７％で発光させ、青色サブピクセル２１０の透過率を７０．７％とする。
【００４３】
図５（Ｃ）の制御パターンでは、赤色光５０１の表示輝度を５０％にするために、赤色光源２０３を輝度１００％で発光させ、赤色サブピクセル２０８の透過率を５０％とする。緑色光５０２の表示輝度を５０％にするために、第１の緑色光源２０４及び第２の緑色光源２０５を輝度７０．７％で発光させ、緑色サブピクセル２０９の透過率を７０．７％とする。青色光５０３の表示輝度を５０％にするために、青色光源２０６を輝度５０％で発光させ、青色サブピクセル２１０の透過率を１００％とする。
【００４４】
図５（Ｄ）は、上記３通りの制御パターン（Ａ）〜（Ｃ）で得られるピクセル表示色スペクトルのグラフを重ねて示したものである。グラフ５０４が制御パターン（Ａ）によるピクセル表示色のスペクトルを示し、グラフ５０５が制御パターン（Ｂ）によるピクセル表示色のスペクトルを示し、グラフ５０６が制御パターン（Ｃ）によるピクセル表示色のスペクトルを示す。３つのピクセル表示色スペクトルにばらつきがあることが確認できる。これは隣接色光源からのクロストークの影響が制御パターンによって変動したことによるものと考えられる。
【００４５】
また図５の（Ｅ）は、前記３通りの制御パターンで得られる赤色光５０１、緑色光５０２及び青色光５０３の色度点を頂点とする三角形で示される表示色域範囲と、白色の色度点を示したものである。制御パターン（Ａ）による表示色域領域を三角形５０７で示し、白色の色度点を色度点５１０で示す。制御パターン（Ｂ）による表示色域領域を三角形５０８で示し、白色の色度点を色度点５１１で示す。制御パターン（Ｃ）による表示色域領域を三角形５０９で示し、白色の色度点を色度点５１２で示す。
【００４６】
これらの結果より、従来技術で各色光源に対し独立してローカルディミングすると、隣接色光源からのクロストークの発生により、各光源の発光強度及びサブピクセルの透過率のバランスの違いによって表示可能な色域領域及び白色色度が変化することが確認できる。
【００４７】
図６は、本実施例のローカルディミングの手法を用いて、上記の制御パターン（Ａ）〜（Ｃ）により光源の発光強度とサブピクセルの透過率を制御して輝度５０％の白色表示をした場合の表示結果の一例である。図６は、光源発光スペクトル、サブピクセル透過スペクトル、及びピクセル表示色スペクトルを示す。
【００４８】
なお、本実施例では、２つのサブフレームを用いた混色表示となることから、光源発光スペクトル及びサブピクセル透過スペクトルを示すグラフは、第１のサブフレーム分と第２のサブフレーム分とに分かれている。第１のサブフレームでは、赤色光６０１及び青色光６０３を混色して得られる混色光６０４が得られる。また、第２のサブフレームでは、緑色光６０２が得られる。この時分割混色表示によって、輝度５０％の白色光を得ている。
【００４９】
図７（Ａ）は、上記制御パターン（Ａ）〜（Ｃ）による光源及びサブピクセル制御で輝度５０％の白色表示を行った場合のピクセル表示色スペクトルのグラフを重ねて示したものである。破線６０４は第１のサブフレーム期間における赤色光６０１及び青色光６０３の混色光６０４のスペクトルを示すグラフである。実線６０２は第２のサブフレーム期間における緑色光６０２のスペクトルを示すグラフである。制御パターンが変化してもピクセル表示色スペクトルのばらつきは好適に抑制されていることが確認できる。これはクロストークの発生が抑制されたためと考えられる。
【００５０】
また、図７（Ｂ）は、上記制御パターン（Ａ）〜（Ｃ）での赤色光６０１、緑色光６０２及び青色光６０３の色度点を頂点とする三角形で示される表示色域範囲７０１と、白色光の色度点７０２を示したものである。図７（Ｂ）に示すように、本実施例によれば、隣接色光源からのクロストークの発生が抑制され、各色光源の発光強度及びサブピクセルの透過率のバランスの変化に伴う表示可能な色域領域及び色度点のばらつきが好適に抑制されることが確認できる。
【００５１】
さらには、隣接色光源からのクロストークの発生が抑制されることにより、赤色光６０１、緑色光６０２及び青色光６０３の色純度が図５（Ｄ）に示す従来技術の場合よりも高いことが確認できる。これによって、図７（Ｃ）で示す通り、本実施例の赤色光６０１、緑色光６０２及び青色光６０３により表示可能な色域領域７０３は、従来技術の赤色光５０１、緑色光５０２及び青色光５０３により表示可能な色域領域７０４よりも広くすることが可能となる。
【００５２】
以上の構成及び制御によれば、バックライトのＲＧＢ原色光源を用いた液晶表示装置において、隣接色光源間のクロストークが抑制される。従って、各色光源に対し独立してローカルディミングを行うことにより各色光源の発光強度のバランスが変化しても、表示可能色域や同一表示色のスペクトルにばらつきが生じることを抑制することができる。
【００５３】
本実施例では、多原色光源をピーク波長が隣接しない光源の組み合わせにより２つのグループに分割し、各グループに属する光源を交互に発光させてフィールドシーケンシャル表示を行う。これにより、ピーク波長が隣接する光源が同時に点灯することによるクロストークの発生を抑制できる。従って、多原色光源バックライトを用いた液晶表示装置において、各色光源に対し独立にローカルディミングを行うことによって各色光源の発光バランスが変化しても、ピクセル表示色のスペクトルの変動が抑制される。よって、安定した表示色度及び表示色域を実現することが可能となる。
【００５４】
（実施例２）
以下、本発明の第２の実施例について説明する。
第１の実施例は、ＲＧＢ３原色の光源及びサブピクセルの構成をとる液晶表示装置に本発明を適用した例を説明した。第２の実施例は、ＲＧＢに黄色（Ｙ）を加えた、ＲＹＧＢ４原色の光源及びサブピクセルの構成をとる液晶表示装置に本発明を適用した例を説明する。
【００５５】
図８は、第２の実施例を実現するための液晶表示装置８００の構成を示したブロック図である。第１の実施例との違いは、カラーマトリックス変換部８０１が追加されている点である。
【００５６】
カラーマトリックス変換部８０１は、映像データ変換部１０１からのＲＧＢ３原色のデジタル映像信号に対しカラーマトリックス変換を行うことでＲＹＧＢの４原色のデジタル映像信号を生成する映像信号変換部である。カラーマトリックス変換部８０１は、生成し
たＲＹＧＢ４原色デジタル映像信号を映像解析部１０２へ出力する。その他のブロックに関しては、ＲＧＢ３原色のところをＲＹＧＢ４原色に読み代える他は第１の実施例と共通のため、説明を省略する。なお、入力する映像信号から映像データ変換部１０１において直接４原色デジタル映像信号に変換するようにしても良い。その場合、実施例１と同様の構成でよく、カラーマトリックス変換部８０１は必要ない。
【００５７】
次に、図９を用いてパネルモジュール９００の構成について説明する。第１の実施例と比較すると、光源部１１０の光源群９０１の構成、及び液晶部１１３のピクセル９０６の構成が異なる。
ＲＹＧＢバックライトを実現するために、光源群９０１は、赤色光源９０２、黄色光源９０３、緑色光源９０４及び青色光源９０５の構成をとる。ピクセル９０６は赤色サブピクセル９０７、黄色サブピクセル９０８、緑色サブピクセル９０９及び青色サブピクセル９１０の構成をとる。その他は、第１の実施例のパネルモジュール２００と共通のため、説明を省略する。
【００５８】
光源部１１０の光源発光制御及び液晶部１１３の透過制御について、図１０を用いて説明する。
本実施例では、発光スペクトルのピーク波長が隣接しない赤色光源９０２及び緑色光源９０４を第１のグループとし、発光スペクトルのピーク波長が隣接しない黄色光源９０３及び青色光源９０５を第２のグループとしてグループ分けする。そして、第１のグループに属する光源の発光と、第２のグループに属する光源の発光と、を交互に切り換える。また、本実施例では、この光源発光制御に同期させて、赤色サブピクセル９０７、黄色サブピクセル９０８、緑色サブピクセル９０９及び青色サブピクセル９１０の透過制御を行う。これにより、隣接色光源からのクロストークを抑える。
【００５９】
第１のサブフレーム期間では、赤色光源９０２及び緑色光源９０４を発光させ、黄色光源９０３及び青色光源９０５を消灯させる。これに同期して、赤色サブピクセル９０７及び緑色サブピクセル９０９を透過させ、黄色サブピクセル９０８及び青色サブピクセル９１０は遮光する。つまり、第１のサブフレーム期間では、赤色サブピクセル９０７及び緑色サブピクセル９０９を用いた、赤色と緑色のサブピクセル表示だけが有効となる。
【００６０】
第２のサブフレーム期間では、黄色光源９０３及び青色光源９０５を発光させ、赤色光源９０２及び緑色光源９０４を消灯させる。これに同期して、黄色サブピクセル９０８及び青色サブピクセル９１０を透過させ、赤色サブピクセル９０７及び緑色サブピクセル９０９は遮光する。つまり、第２のサブフレーム期間では、黄色サブピクセル９０８及び青色サブピクセル９１０を用いた、黄色と青色のサブピクセル表示だけが有効となる。
これにより、ピーク波長が隣接する光源が同時に点灯しないので、隣接色光源の影響によるクロストークの発生を抑制することが可能となる。
【００６１】
次に、図１１のフローチャートを用いて、各色光源を独立してローカルディミングを行う方法について説明する。
【００６２】
ステップＳ１１０１の処理は、第１の実施例のステップＳ４０１の処理と共通である。ステップＳ１１０２では、カラーマトリックス変換部８０１が、映像データ変換部１０１から入力される、ＲＧＢ３原色のデジタル映像信号に対しカラーマトリックス変換を行ってＲＹＧＢ４原色のデジタル映像信号を生成する。カラーマトリックス変換部８０１は、生成したＲＹＧＢ４原色デジタル映像信号を映像解析部１０２へ出力する。そして、ステップＳ１１０３に進む。
【００６３】
第１の実施例のステップＳ４０２では、映像解析部１０２が、ＲＧＢ別の画像解析デー
タを取得していたのに対し、ステップＳ１１０３では、映像解析部１０２が、ＲＹＧＢ別の画像解析データを取得する。映像解析部１０２は、取得した画像解析データをＣＰＵ１０３へ送信する。そして、ステップＳ１１０４に進む。
【００６４】
ステップＳ１１０４では、サブフレーム分割部１０６がサブフレーム分割信号を生成する。サブフレーム分割部１０６は、まず、ＣＰＵ１０３から、赤色（Ｒ）及び緑色（Ｇ）成分で第１のサブフレーム画像を構成するとともに、黄色（Ｙ）及び青色（Ｂ）成分で第２のサブフレーム画像を構成することを示す分割方法の情報を取得する。なお、分割方法の情報は、サブフレーム分割部１０６自身の記憶部に記憶されていても良い。この分割方法に従い、サブフレーム分割部１０６は、ＲＹＧＢ映像信号のフレーム画像からＲ及びＧの成分を抽出して、第１のサブフレーム画像を生成する。また、サブフレーム分割部１０６は、ＲＹＧＢ映像信号のフレーム画像からＹ及びＢの成分を抽出して、第２のサブフレーム画像を生成する。サブフレーム分割部１０６は、生成した２種類のサブフレーム画像を時間軸方向に交互に並べ、サブフレーム分割信号を生成する。そしてステップＳ１１０５に進む。
【００６５】
ステップＳ１１０５での処理は、第１の実施例のステップＳ４０４の処理に準じる。すなわち、ＣＰＵ１０３が、サブフレーム期間毎に、赤色光源９０２、黄色光源９０３、緑色光源９０４及び青色光源９０５の発光強度を決定する。ＣＰＵ１０３は、決定した発光強度の情報を発光強度信号として光源制御信号生成部１０８へ出力する。そして、ステップＳ１１０６及びステップＳ１１０８に進む。
【００６６】
ステップＳ１１０６及びステップＳ１１０７の処理は、第１の実施例のステップＳ４０５及びステップＳ４０６の処理に準じる。これにより、第１のサブフレーム期間では赤色光源９０２及び緑色光源９０４が所望の発光強度で発光し、第２のサブフレーム期間では黄色光源９０３及び青色光源９０５が所望の発光強度で発光する。そして、ステップＳ１１０１に戻り、本フローチャートの処理を繰り返す。
【００６７】
ステップＳ１１０８は、第１の実施例のステップＳ４０７の処理に準じる。すなわち、ＣＰＵ１０３が、制御ブロック毎、及びＲＹＧＢ毎に、適用するブロック補正係数を決定し、サブピクセル補正テーブルを生成し、サブピクセル補正部１０７へ送信する。そして、ステップＳ１１０９に進む。
【００６８】
ステップＳ１１０９及びステップＳ１１１０の処理は、第１の実施例ステップＳ４０８及びステップＳ４０９の処理に準じる。すなわち、サブピクセル補正部１０７が、サブピクセル補正テーブルに基づき各サブピクセルに対し輝度補正を行ってサブピクセル補正信号を生成し、液晶制御信号生成部１１１がサブピクセル補正信号をもとに液晶制御信号を生成する。そして、液晶制御部１１２が液晶制御信号に基づき、光源部１１０の制御タイミングと同期させて、液晶部１１３の各サブピクセルの液晶配向角を制御する。これにより、液晶部１１３のサブピクセルが所望の透過率に変化する。そして、ステップＳ１１０１に戻り、本フローチャートの処理を繰り返す。
【００６９】
本フローチャートで示す処理によって、ＲＹＧＢ４原色の光源及びサブピクセルの構成をとる液晶表示装置において、２つのサブフレームからなるフィールドシーケンシャル制御による混色表示及びローカルディミングが実現可能となる。
【００７０】
さらに、図１２及び図１３を用いて、第２の実施例に基づくローカルディミングによる表示結果の例を説明する。図１２（Ａ）〜（Ｃ）は、第２の実施例のローカルディミングの手法を用いて、各色光源の発光強度及びサブピクセルの透過率の３通りの組み合わせで、輝度５０％の白色を表示させた場合の表示結果の一例である。図１２は、光源発光スペ
クトル、サブピクセル透過スペクトル、及びピクセル表示色スペクトルを示す。
【００７１】
制御パターン（Ａ）では、赤色光１２０１の表示輝度を５０％にするために、赤色光源９０２を輝度５０％で発光させ、赤色サブピクセル９０７の透過率を１００％とする。黄色光１２０２の表示輝度を５０％にするために、黄色光源９０３を輝度１００％で発光させ、黄色サブピクセル９０８の透過率を５０％とする。緑色光１２０３の表示輝度を５０％にするために、緑色光源９０４を輝度７０．７％で発光させ、緑色サブピクセル９０９の透過率を７０．７％とする。青色光１２０４の表示輝度を５０％にするために、青色光源９０５を輝度５０％で発光させ、青色サブピクセル９１０の透過率を１００％とする。
【００７２】
制御パターン（Ｂ）では、赤色光１２０１の表示輝度を５０％にするために、赤色光源９０２を輝度７０．７％で発光させ、赤色サブピクセル９０７の透過率を７０．７％とする。黄色光１２０２の表示輝度を５０％にするために、黄色光源９０３を輝度７０．７％で発光させ、黄色サブピクセル９０８の透過率を７０．７％とする。緑色光１２０３の表示輝度を５０％にするために、緑色光源９０４を輝度７０．７％で発光させ、緑色サブピクセル９０９の透過率を７０．７％とする。青色光１２０４の表示輝度を５０％にするために、青色光源９０５を輝度７０．７％で発光させ、青色サブピクセル９１０の透過率を７０．７％とする。
【００７３】
制御パターン（Ｃ）では、赤色光１２０１の表示輝度を５０％にするために、赤色光源９０２を輝度１００％で発光させ、赤色サブピクセル９０７の透過率を５０％とする。黄色光１２０２の表示輝度を５０％にするために、黄色光源９０３を輝度５０％で発光させ、黄色サブピクセル９０８の透過率を１００％とする。緑色光１２０３の表示輝度を５０％にするために、緑色光源９０４を輝度５０％で発光させ、緑色サブピクセル９０９の透過率を１００％とする。青色光１２０４の表示輝度を５０％にするために、青色光源９０５を輝度７０．７％で発光させ、青色サブピクセル９１０の透過率を７０．７％とする。
【００７４】
第１のサブフレーム期間において、赤色光１２０１及び緑色光１２０３による第１の混色光１３０１（図１３（Ａ）の破線）が得られる。また、第２のサブフレーム期間において、黄色光１２０２及び青色光１２０４による第２の混色光１３０２（図１３（Ａ）の実線）が得られる。この第１の混色光１３０１と第２の混色光１３０２とでの時分割混色表示によって、輝度５０％の白色表示がなされる。
図１３（Ａ）は、上記制御パターン（Ａ）〜（Ｃ）の光源及びサブピクセル制御による輝度５０％の白色表示のスペクトルのグラフを重ねて示したものである。ローカルディミングにより各色光源の発光強度を３通りの変化させた場合のピクセル表示色スペクトルのばらつきが好適に抑制されていることが確認できる。これはクロストークの発生が抑制されたためと考えられる。
【００７５】
また、図１３（Ｂ）は、上記制御パターン（Ａ）〜（Ｃ）での赤色光１２０１、黄色光１２０２、緑色光１２０３及び青色光１２０４の色度点を頂点とする四角形で示される表示色域領域範囲１３０３と、白色光の色度点１３０４を示したものである。図１３（Ｂ）に示すように、本実施例によれば、隣接色光源からのクロストークの発生が抑制され、各光源の発光強度及びサブピクセルの透過率が変化しても、表示可能な色域領域及び色度点にばらつきが生じることが好適に抑制されることが確認できる。また、各色光の色純度を従来技術より高くできることも実施例１と同様である。
【００７６】
以上の構成及び制御によれば、バックライトにＲＹＧＢ原色光源を用いた液晶表示装置において、２つのサブフレームによるフィールドシーケンシャル表示により、隣接色光源間のクロストークが抑制される。従って、各色光源に対し独立してローカルディミングを行うことにより各色光源の発光強度のバランスが変動しても、表示可能色域や同一色の表
示スペクトルにばらつきが生じることを抑制することができる。以上説明した実施例では、バックライトを複数の制御ブロックに分割して制御ブロック毎に光源の発光強度及びサブピクセル透過率を独立に制御するローカルディミングを例示したが、制御ブロックの分割を行わなくても良い。その場合、分割数１のローカルディミングということになるが、入力する映像信号に応じて多原色光源バックライトの各色光源の発光強度及び各色サブピクセルの透過率を可変制御することは共通である。そのような可変制御を行っても、同一色の表示スペクトルにばらつきが生じないので、好適な表示画質を実現できる。また、上記実施例では３原色光源及び４原色光源の場合を例に説明したが、５原色以上の多原色光源バックライトにも本発明は適用可能である。その場合も、発光スペクトルにおけるピーク波長が隣り合う光源同士が同じグループに属しないように２つのグループに光源をグループ分けして、２つのサブフレームによるフィールドシーケンシャルにより各グループの光源を交互に点灯する。これにより、上記と同様の作用効果が得られる。
【符号の説明】
【００７７】
１００：液晶表示装置、１０９：光源制御部、１１０：光源部、１１２：液晶制御部、１１３：液晶部
【図１】
2012242682.tif 000003
【図２】
2012242682.tif 000004
【図３】
2012242682.tif 000005
【図４】
2012242682.tif 000006
【図５】
2012242682.tif 000007
【図６】
2012242682.tif 000008
【図７】
2012242682.tif 000009
【図８】
2012242682.tif 000010
【図９】
2012242682.tif 000011
【図１０】
2012242682.tif 000012
【図１１】
2012242682.tif 000013
【図１２】
2012242682.tif 000014
【図１３】
2012242682.tif 000015